(57)【要約】【課題】ナースコールにおいて、各病室の廊下灯に接続されるナースコール子機等の呼出機器の接続を設定した設定内容と、実際の施工内容が異なってしまうことがある。【解決手段】設定用プログラムをインストールして接続された管理用ＰＣが、設定完了後に設定内容を病室単位の施工図として印刷することにより、施工図と実際の施工状態を容易に比較することができる。【選択図】図１
2016063466.tif 000002
【特許請求の範囲】
【請求項１】
患者からの呼出時に患者情報を表示する廊下灯と、前記患者からの呼出を表示し、患者と通話するナースコール親機と、
前記廊下灯に接続され、患者が呼び出す際に操作するためのナースコール子機を含む呼出機器と、
前記ナースコール子機からの呼出履歴を記憶する制御装置とを備えたナースコールシステムにおいて、
前記呼出機器には、前記ナースコール子機等の一般的な呼出機器の他に、ＡＥＤ、点滴センサ等の異常発生時に通報動作を行う特殊呼出機器を含むものであり、
複数の前記廊下灯に接続され、病室の廊下灯毎に接続すべき特殊呼出機器を含む呼出機器を設定するとともに、設定内容を前記制御装置に転送するとともに、設定内容を印刷するプリンタを有する設定装置を備えたことを特徴とするインターホンシステム。
【発明の詳細な説明】
【技術分野】
【０００１】
本発明は、病室内において、病室内のナースコール、ＡＥＤ等の各機器が廊下灯と接続されるナースコールシステムに関するものである。
【背景技術】
【０００２】
従来のナースコールシステムでは、各病室にどのような機器が接続できるか、という接続設定について、ナースコール親機の画面に表示するため、及び呼出元を明確にするために外部のパーソナルコンピュータ（以下、ＰＣと略す）により事前設定できるシステムが提案されていた。
【先行技術文献】
【特許文献】
【０００３】
【特許文献１】特開２００３−１５２８７４号公報
【発明の概要】
【発明が解決しようとする課題】
【０００４】
しかし、特許文献１の方策では、設定内容を登録することはできるが、当該設定通りに施工されているかどうかの確認は難しく、正常動作しない場合には施工ミスなのかＰＣでの設定ミスなのかを特定するために時間を要していた。
【課題を解決するための手段】
【０００５】
本発明は、上述の難点を解消するためになされたもので、ナースコールシステムに接続されたＰＣを用いて病室内の各機器の接続を設定することができるとともに、当該ＰＣで設定された結果を病室単位で施工図として画像データを作成する作成機能を有する。
【発明の効果】
【０００６】
本発明のナースコールシステムによれば、ＰＣで設定内容を病室単位で印刷可能としたため、当該画像データを印刷することによって病室単位の施工図を施工者に引き渡すことができ、施工ミスが減少するとともに、施工ミスあるいは設定ミスが発生した際にも、画像データと照合することによってミスの原因が容易に判明するため、作業工数を削減することができる。
【図面の簡単な説明】
【０００７】
【図１】図１は、本発明のナースコールシステムの構成図である。
【図２】図２は、本発明のナースコールシステムにおける施工図の印刷例を示す説明図である。
【図３】図３は、本発明のナースコールシステムにおける施工図の他の印刷例を示す説明図である。
【図４】図４は、本発明のナースコールシステムにおける管理用ＰＣの設定画面を示す説明図である。
【発明を実施するための形態】
【０００８】
以下、本発明のナースコールシステムを適用した最良の実施の形態例について、図面を参照して説明する。図１は、本発明の一実施例によるナースコールシステムの構成図であり、病室に設置され患者が看護師を呼出して通話を行うナースコール子機１１ａ等の呼出機器と、ナースステーションに設置され患者からの呼出しに応答した看護師が通話を行うナースコール親機２と、各病室の入口に１つずつ設置された廊下灯４と、ナースコール子機１１ａ等の呼出機器及びナースコール親機２の呼出や通話を制御する制御装置５と、各病室ごとに接続されるナースコール子機１１ａ等の呼出機器の設置位置を設定し、制御装置５に転送する管理用ＰＣ３とを備えており、ナースコール子機１１ａ等の呼出機器と廊下灯４は接続線Ｌ０で接続されるとともに、ナースコール親機２、管理用ＰＣ３、廊下灯４と制御装置５は、ＬＡＮ等のネットワークＬでそれぞれバス接続されている。
【０００９】
また、病室内には、ナースコール子機１１ａの他にトイレ呼出ボタン１１ｂ、ＡＥＤ１２ａ、点滴センサ１２ｂ等が呼出機器として備えられており、ナースコール子機１１ａと同様の接続方法で廊下灯４に接続されている。また、呼出機器のうち、ＡＥＤ１２ａ、点滴センサ１２ｂ等の呼出以外の目的で設置され、状況に応じて廊下灯４に対してアラーム信号として呼出を行う機器を特に特殊呼出機器と称する。
【００１０】
ナースコール親機２は、２０インチ以上の親機ディスプレイ２１を備え、呼出時には呼出を行った患者氏名を親機ディスプレイ２１に表示するとともに、呼出を行っていないときには病棟内の病室毎に区切って患者一覧がレイアウト表示されている。また、ＡＥＤ１２ａ、点滴センサ１２ｂ等の特殊呼出機器が呼出機器として接続されている場合には、患者一覧の表示色を変えることによって識別を容易にしている。
【００１１】
管理用ＰＣ３には、プリンタ３１を備えている。
【実施例１】
【００１２】
次に、このように構成された本発明の一実施例によるナースコールシステムの呼出機器の設定方法について説明する。
【００１３】
図１において、管理用ＰＣ３は、各病室の廊下灯単位で、病室内にどのような呼出機器が接続されるかを設定する。具体的には、管理用ＰＣ３において、図４に示す設定画面を用いて、病室ごとにそれぞれ編集作業を行う。例えば、図１のような接続例であれば、病室１０１には、呼出機器としてナースコール子機１１ａが２台、トイレ呼出ボタン１１ｂが１台、特殊呼出機器としてＡＥＤ１２ａが１台、点滴センサ１２ｂが１台、その他として図示しない表示灯が４台、それぞれ廊下灯４に接続されている。また、病室１０２には、呼出機器としてナースコール子機１１ａが３台、トイレ呼出ボタン１１ｂが直列に２台、その他として復旧ボタンが１台、それぞれ廊下灯４に接続されている。この内容を図４に示す設定画面を用いて設定を行い、設定完了操作を行うと、設定内容が制御装置５に転送される。
設定を完了した後に、印刷ボタンを押下すると、図２に示すような施工図がプリンタ３１から印刷される。
【００１４】
図２の施工図は、１０１号室と１０２号室の２つの病室の２台の廊下灯が１枚の紙に印刷されており、例えば１０１号室では、廊下灯４の子機１端子、子機２端子にそれぞれナースコール子機１１ａが１台ずつ、廊下灯４のトイレ子機３端子にトイレ呼出ボタン１１ｂが１台、廊下灯４の汎用１端子にＡＥＤ１２ａが１台、廊下灯４の汎用２端子に点滴センサ１２ｂが１台、廊下灯４の表示灯１〜４端子に表示灯それぞれ１台を接続線Ｌ０を施工して接続するようアイコンにより図示されている。但し、点滴センサ１２ｂについては専用のアイコンがないため、「Ａ」という汎用のアイコンで表示されている。施工者は、この図面をもとに、それぞれの呼出機器を廊下灯のどの端子に接続する必要があるかを的確に把握し、接続ミスを防止することができる。また、廊下灯端子の右端には特殊呼出機器のための接続端子が明示されていることから、接続忘れをしやすいＡＥＤ、点滴センサ等も確実に接続することができる。さらに、施工図右上には廊下灯のＤＩＰＳＷの設定方法もあわせて印刷してあるため、病室の全ての施工は本施工図１枚で完了する。
【００１５】
また、万一動作異常が発生した場合にも、施工図と実際の施工状況を容易に比較することができるため、他の工事業者が誤って配線を外したり、ＤＩＰＳＷを変更してしまう等のトラブルに対しても容易に発見することができる。さらに、管理用ＰＣ３に設定データを保管しておけば、施工図をいつでもプリンタ３１を用いて印刷することが可能であるため、たとえ施工図を紛失したとしても再印刷することができる。
【００１６】
本実施例では一般的な病院の施工例を示したが、病院によっては多くの呼出機器、多くの表示灯を接続することもある。図３は廊下灯に対して接続可能な機器を最大限接続した一例を示しており、１０６号室には３３台の機器が接続されているが、その全てをどこに接続すればよいかが容易に確認することができる。
【００１７】
次に、ナースコールシステムの呼出機器の設定が完了した後、実際の呼出動作について説明する。
【００１８】
図１において、病室に居る患者によりナースコール子機１１ａが操作されると、ナースコール子機１１ａは接続線Ｌ０、廊下灯４、ネットワークＬを介して制御装置５に対して呼出信号を送信する。呼出信号を受信した制御装置５は、呼出信号を中継した廊下灯４及びナースコール子機１１ａをもとに、管理用ＰＣ３によって設定され制御装置５に記憶された設定内容から、当該ナースコール子機１１ａの設置された病室及びベッドの位置を特定し、呼出信号をナースコール親機２へ送信する必要があることを認識して、ナースコール親機２に病室及びベッドの位置を含む呼出信号を送信する。
【産業上の利用可能性】
【００１９】
なお、本実施例では１病室に廊下灯が１台ある例を示したが、これに限らず、２病室で１台の廊下灯を兼用することもできる。この場合には配線は部屋を跨ぐことになるが、施工図のナースコール子機の説明部分に病室番号とベッド番号が記載してあるため、この場合でも容易に施工することができる。
【００２０】
また、本実施例では施工図をプリンタに印刷するのみであったが、メール送信、タブレット端末への施工図伝送を行なうことも好適である。
【符号の説明】
【００２１】
１１ａ、１１ｂ・・  呼出機器
１２ａ、１２ｂ・・  特殊呼出機器
２                ナースコール親機
３                管理用ＰＣ（設定装置）
３１              プリンタ
４                廊下灯
５                制御装置
【図１】
2016063466.tif 000003
【図２】
2016063466.tif 000004
【図３】
2016063466.tif 000005
【図４】
2016063466.tif 000006